(57)【要約】【課題】    消音対象となる装置の運転に支障なく、あらゆる条件においてケーシングの振動を抑制できる消音装置を提供する。【解決手段】消音対象となる装置のケーシング（10）に消音部材（70）として変形部材（71）を設ける。振動検知手段（80）で検知された振動に基づいて、制御部（90）によりケーシング（10）に対する変形部材（71）の締め付け力を変化させて、ケーシング（10）の振動振幅を低減する。【選択図】図２
2005180323.tif 000002
【特許請求の範囲】
【請求項１】
消音対象となる装置のケーシング（10）に備えられて、該ケーシング（10）の振動を抑制する消音装置であって、
上記ケーシング（10）の表面を締め付けて振動を抑制する消音部材（70）を備え、
上記消音部材（70）は、外部入力により変形して締め付け力を変化させる変形部材（71）を備えていることを特徴とする消音装置。
【請求項２】
請求項１に記載の消音装置において、
上記ケーシング（10）の振動を検知する振動検知手段（80）と、該振動検知手段（80）の検知信号に基づいて変形部材（71）の締め付け力を変化させる制御部（90）とを備えていることを特徴とする消音装置。
【請求項３】
請求項２に記載の消音装置において、
制御部（90）は、振動検知手段（80）の検知信号が所定値以上になると、変形部材（71）の締め付け力を大きくするように構成されていることを特徴とする消音装置。
【請求項４】
請求項２に記載の消音装置において、
制御部（90）は、振動検知手段（80）の検知信号が小さくなるべく、変形部材（71）の締め付け力を変化させるように構成されていることを特徴とする消音装置。
【請求項５】
請求項１から４に記載の消音装置において、
変形部材（71）は、高分子アクチュエータであることを特徴とする消音装置。
【請求項６】
請求項２から５に記載の消音装置において、
振動検知手段（80）は、ケーシング（10）に設けられた高分子アクチュエータであることを特徴とする消音装置。
【請求項７】
請求項１から６のいずれか１に記載の消音装置において、
変形部材（71）は、ケーシング（10）の表面に複数設けられていることを特徴とする消音装置。
【請求項８】
請求項１から７のいずれか１に記載の消音装置において、
変形部材（71）は、ケーシング（10）の外周に環装されていることを特徴とする消音装置。
【請求項９】
電動機（30）が内装されたケーシング（10）の振動を抑制する消音装置を備えた圧縮機において、
上記消音装置は、請求項１から８のいずれか１に記載の消音装置であることを特徴とする圧縮機。
【発明の詳細な説明】
【技術分野】
【０００１】
本発明は、消音対象となる装置のケーシングの振動を抑制する消音装置と、この消音装置によりケーシングの振動を抑制するようにした圧縮機に関するものである。
【背景技術】
【０００２】
従来より、消音対象となる圧縮機などのケーシングの振動を抑制する消音装置として、ケーシングの表面に備えられた吸震材がある。例えば、特許文献１に開示されている圧縮機では、ケーシングの表面にブチルゴムからなる吸震材を設けることで、圧縮機の運転に伴って生じる振動を上記ブチルゴム吸震材によって吸収し、ケーシングの振動を低減するようにしている。しかしながら、圧縮機の運転に伴って生じる振動は、この圧縮機の運転条件や周囲の環境条件、さらにこの圧縮機の製造時の精度誤差などによって大きく異なってしまうため、この消音装置では、これらの条件の全てに対応してケーシングの振動を抑制することができないという問題があった。
【０００３】
この問題を解決する消音装置として、振動センサで直接的に検知された振動に応じて圧縮機の運転周波数を制御するようにしたものがある。この消音装置は、圧縮機の運転時に振動センサで検知された振動が大きくなると、この圧縮機の運転周波数を低下させることにより、上述した種々の条件に関係なく、ケーシングの振動を抑制できるようにしている（特許文献２参照）。
【特許文献１】特開平６−８１７９０
【特許文献２】特開２００１−３１７４７０
【発明の開示】
【発明が解決しようとする課題】
【０００４】
しかしながら、特許文献２に開示された消音装置は、あらゆる条件下においてケーシングの振動を抑制できるものの、この振動を抑制する際には圧縮機の運転周波数を必ず低下させる必要がある。このため、例えばこの圧縮機を空気調和装置などの冷媒回路に設ける場合、ケーシングの振動を抑制するために運転周波数を低下させると、上記空気調和装置などの運転に支障が生じるという問題があった。
【０００５】
本発明は、かかる点に鑑みてなされたものであり、その目的とするところは、消音対象となる装置の運転に支障なく、あらゆる条件下においてケーシングの振動を抑制できる消音装置を提供することである。
【課題を解決するための手段】
【０００６】
本発明は、消音対象となる装置のケーシングに、このケーシングを締め付けて振動を抑制する消音部材を設け、外部入力によって消音部材の締め付け力を調整できるようにしてたものである。
【０００７】
具体的に、第１の発明は、消音対象となる装置のケーシング（10）に備えられて、該ケーシング（10）の振動を抑制する消音装置を前提としている。そして、この消音装置は、ケーシング（10）の表面を締め付けて振動を抑制する消音部材（70）を備え、上記消音部材（70）が外部入力により変形して締め付け力を変化させる変形部材（71）を備えていることを特徴とするものである。
【０００８】
上記第１の発明では、消音装置となる装置のケーシング（10）に、外部入力によって変形し、ケーシング（10）の表面への締め付け力を変化させる変形部材（71）が消音部材（70）として設けられる。
【０００９】
ここで、ケーシング（10）の振動を直接的、あるいは間接的に検知し、この検知情報に基づいて変形部材（71）を変形させることで、ケーシング（10）に対する変形部材（71）の締め付け力を変化させることができる。この際、例えばケーシング（10）の振動が大きくなる条件においては、ケーシング（10）に対する変形部材（71）の締め付け力を大きくすることで、ケーシング（10）が拘束されて、ケーシング（10）における振動の振幅を低減できる。
【００１０】
第２の発明は、第１の発明の消音装置において、上記ケーシング（10）の振動を検知する振動検知手段（80）と、該振動検知手段（80）の検知信号に基づいて変形部材（71）の締め付け力を変化させる制御部（90）とを備えていることを特徴とするものである。
【００１１】
上記第２の発明では、振動検知手段（80）によって検知されたケーシング（10）の振動に係る検知信号が制御部（90）で受信される。そして、制御部（90）がこの検知信号に基づいた出力信号を変形部材（71）へ送信することで、ケーシング（10）に対する変形部材（71）の締め付け力が変化する。この際、例えば振動検知手段（80）によって検知された検知信号が大きくなる条件においては、制御部（90）が変形部材（71）の締め付け力を大きくさせることで、ケーシング（10）が拘束されて、ケーシング（10）における振動の振幅を低減できる。
【００１２】
第３の発明は、第２の発明の消音装置において、振動検知手段（80）の検知信号が所定値以上になると、制御部（90）は変形部材（71）の締め付け力を大きくするように構成されていることを特徴とするものである。
【００１３】
上記第３の発明では、振動検知手段（80）の検知信号、すなわちケーシング（10）の振動が所定値以上になると、制御部（90）が変形部材（71）の締め付け力を大きくする出力信号を変形部材（71）へ送信する。そして、制御部（90）が変形部材（71）の締め付け力を大きくさせることで、ケーシング（10）が拘束されて、ケーシング（10）における振動の振幅が低減される。
【００１４】
第４の発明は、第２の発明の消音装置において、振動検知手段（80）の検知信号が小さくなるべく、制御部（90）が変形部材（71）の締め付け力を変化させるように構成されていることを特徴とするものである。
【００１５】
上記第４の発明では、振動検知手段（80）の検知信号、すなわちケーシング（10）の振動が最小となるように、制御部（90）が変形部材（71）の締め付け力を変化させる出力信号を変形部材（71）へ送信する。その結果、変形部材（71）の締め付け力がケーシング（10）の振動を最小とするように適宜変化し、ケーシング（10）における振動の振幅が低減される。
【００１６】
第５の発明は、第１から第４のいずれか１の発明の消音装置において、変形部材（71）が高分子アクチュエータであることを特徴とするものである。ここで、高分子アクチュエータは、例えば２つの電極の間に高分子材料と電解液とが接触して配置されており、この電極の外側に樹脂膜が被覆されたものである。そして、両電極に電圧を印加することによって、所定の方向に変形する性能を有している。
【００１７】
上記第５の発明では、高分子アクチュエータからなる変形部材（71）が、制御部（90）より印加される電圧によって変形する。そして、ケーシング（10）に対する変形部材（71）の締め付け力が変化することで、ケーシング（10）における振動の振幅が低減される。
【００１８】
第６の発明は、第２から第５のいずれか１の発明の消音装置において、振動検知手段（80）がケーシング（10）の表面に設けられた高分子アクチュエータであることを特徴とするものである。
【００１９】
上記第６の発明では、ケーシング（10）に、高分子アクチュエータからなる振動検知手段（80）が設けられる。ケーシング（10）の振動に伴って高分子アクチュエータが変形すると、その内部でこの変形量に相当する電荷が発生する。この電荷は制御部（90）に受信され、この電荷に基づいて制御部（90）がケーシング（10）に対する変形部材（71）の締め付け力を変化させる。
【００２０】
第７の発明は、第１から第６のいずれか１の発明の消音装置において、変形部材（71）がケーシング（10）の表面に複数設けられていることを特徴とするものである。
【００２１】
上記第７の発明では、ケーシング（10）の表面に２個以上設けられた変形部材（71）が、制御部（90）の出力信号によって変形し、ケーシング（10）に対する変形部材（71）の締め付け力が変化する。
【００２２】
第８の発明は、第１から第７のいずれか１の発明の消音装置において、変形部材（71）がケーシング（10）の外周に環装されていることを特徴とするものである。
【００２３】
上記第８の発明では、環状に形成された変形部材（71）が、制御部（90）の出力信号によって変形部材（71）の周方向に伸縮することで、ケーシング（10）に対する変形部材（71）の締め付け力が変化する。
【００２４】
第９の発明は、電動機（30）が内装されたケーシング（10）の振動を抑制する消音装置を備えた圧縮機を前提としている。そして、この圧縮機は、上記消音装置が、第１から第８のいずれか１の発明の消音装置であることを特徴とするものである。
【００２５】
上記第９の発明では、消音対象となる圧縮機のケーシング（10）に第１から第８の作用効果を有する消音装置が設けられる。ここで、この圧縮機の振動を直接的、あるいは間接的に検知し、この検知情報に基づいて変形部材（71）を変形させることで、ケーシング（10）に対する変形部材（71）の締め付け力を変化させ、圧縮機のケーシング（10）における振動の振幅を低減することができる。
【発明の効果】
【００２６】
本発明では、以下の効果が発揮される。
【００２７】
上記第１の発明によれば、ケーシング（10）の表面に消音部材（70）を設け、この消音部材（70）に備えられた変形部材（71）を外部入力によって変形させることで、ケーシング（10）に対する変形部材（71）の締め付け力を変化させるようにしている。このため、ケーシング（10）の振動を例えば振動センサで直接的に検知し、この振動に係る検知情報に基づいて変形部材（71）の締め付け力を大きくすることで、この装置の運転条件や環境条件、あるいはこの装置の製造時の精度誤差などに関係なく、あらゆる条件下でケーシング（10）の振動を抑制し、この装置の騒音を低減することができる。
【００２８】
また、本発明では、例えば特許文献２に開示されている圧縮機のように、その装置の運転方法（運転周波数）を変更してケーシング（10）の振動を抑制しているのではなく、この装置の運転とは独立した変形部材（71）の変形動作によってケーシング（10）の振動を抑制している。このため、この消音装置が備えられる装置の運転に支障なく、ケーシング（10）の振動を抑制することができる。
【００２９】
上記第２の発明によれば、振動検知手段（80）によって直接的に検知されたケーシング（10）の振動に基づいて、変形部材（71）を変形させ、ケーシング（10）に対する変形部材（71）の締め付け力を変化させるようにしている。このため、この装置の運転条件や環境条件などに関係なく、さらにこの装置の運転に支障なく、ケーシング（10）の振動を確実に抑制することができる。
【００３０】
上記第３の発明によれば、ケーシング（10）の振動が所定値以上になると、変形部材（71）の締め付け力を大きくして、ケーシング（10）における振動を抑制するようにしている。このため、ケーシング（10）の振動が、騒音として聞こえやすい振動より低いレベルになるように上記所定値（上限値）を設定することで、この騒音をある一定レベル以下に抑えることができる。したがって、この消音装置が備えられる装置の騒音を確実に低減することができる。
【００３１】
上記第４の発明によれば、ケーシング（10）の振動が小さくなるように、ケーシング（10）に対する変形部材（71）の締め付け力を変化させている。このため、ケーシング（10）の振動を常に最小レベルに抑えることができ、この消音装置が備えられる装置の騒音を安定して抑制することができる。
【００３２】
上記第５の発明によれば、変形部材（71）を高分子アクチュエータで構成し、電圧印加によってケーシング（10）に対する変形部材（71）の締め付け力を変化させている。
【００３３】
ここで、この高分子アクチュエータは、電圧を印加すると、その印加された電圧の大きさに相当して変形し、電圧の印加を止めると、その変形状態を継続する特性を有する。したがって、ケーシング（10）に対する変形部材（71）の締め付け力の調整を確実に行うことができるとともに、その締め付け力を確実に保持することができる。
【００３４】
また、高分子アクチュエータは、電圧印加に伴う高分子材料の内部におけるイオンの移動によって変形するものであるため、作動音がほとんどない状態で変形部材（71）を変形できる。したがって、この消音装置が備えられる装置の低騒音化を図ることができる。
【００３５】
さらに、高分子アクチュエータは、金属などからなるアクチュエータと比較して、コンパクトかつ軽量であるため、この消音装置の小型化、軽量化が可能となる。
【００３６】
上記第６の発明によれば、振動検知手段（80）を高分子アクチュエータで構成し、ケーシング（10）の振動に伴って生じる電荷によって、ケーシング（10）の振動を検知するようにしてる。高分子アクチュエータは、金属などからなるアクチュエータと比較して、コンパクトかつ軽量であるため、この消音装置の小型化、軽量化が可能となる。
【００３７】
また、この振動検知手段（80）と変形部材（71）とを一つの高分子アクチュエータで構成することで、消音装置の部品点数を削減することができ、この消音装置をコンパクトに設計することができる。
【００３８】
上記第７の発明によれば、ケーシング（10）の表面に変形部材（71）を複数設け、この複数の変形部材（71）のケーシング（10）に対する締め付け力を変化させるようにしている。このため、変形部材（71）の締め付けによってケーシング（10）に作用する締め付け力が分散されるとともに、このケーシング（10）に作用する締め付け力を大きくすることができる。したがって、変形部材（71）が一つである場合と比較して、より確実かつ効果的にケーシング（10）の振動を抑制することができる。
【００３９】
また、複数の変形部材（71）において、変形部材（71）の締め付け力をそれぞれ個別に制御することで、例えば人間の聴覚に聞こえやすい周波数帯域の騒音が生じやすい部分については、変形部材（71）の締め付け力を大きくし、それ以外の部分には変形部材（71）の締め付け力を作用させないというように、ケーシング（10）における局所的な振動の抑制を行うことができる。
【００４０】
上記第８の発明によれば、環状に形成された変形部材（71）を伸縮させて、ケーシング（10）に対する変形部材（71）の締め付け力を変化させるようにしている。このため、変形部材（71）の締め付けによってケーシング（10）に作用する締め付け力は、ケーシング（10）の表面の周方向全域に亘って均等に作用しやすくなる。このため、ケーシング（10）の振動を効果的に抑制することができる。
【００４１】
また、変形部材（71）を環状に形成することで、ケーシング（10）に対する変形部材（71）の設置性が良好となる。
【００４２】
上記第９の発明によれば、圧縮機に上述した第１から第８の発明の消音装置を適用することで、この圧縮機の運転に支障なく、あらゆる条件下においてこの圧縮機の振動を抑制することができる。したがって、この圧縮機、さらにはこの圧縮機が冷媒回路に設けられる空気調和装置や冷凍装置などの低騒音化を図ることができる。
【発明を実施するための最良の形態】
【００４３】
本実施形態に係る消音装置について、図面を基に説明する。
《発明の実施形態》
本実施形態に係る消音装置（5）は、図１に示すような、いわゆるスイング型の圧縮機（1）を消音対象の装置としている。この消音装置（5）は、圧縮機（１）のケーシング（10）の表面に設けられており、圧縮機（1）の運転時におけるケーシング（10）の振動を抑制する。なお、圧縮機（1）は、例えば空気調和装置や冷凍装置などの冷媒回路に設けられ、ガス冷媒の圧縮に用いられる。
【００４４】
圧縮機（1）は、ドーム型のケーシング（10）内に、圧縮機構（20）と電動機（30）とが収納され、全密閉型に構成されている。
【００４５】
圧縮機（1）のケーシング（10）は、円筒状の胴部（11）と、この胴部（11）の上下にそれぞれ設けられた鏡板（12,13）とによって構成されている。胴部（11）には、下方寄りの位置に、この胴部（11）を貫通する吸入管（14）が設けられている。一方、上部の鏡板（12）には、ケーシング（10）の内外を連通する吐出管（15）と、図示しない外部電源に接続されて電動機（30）に電力を供給するターミナル（16）とが設けられている。
【００４６】
電動機（30）は、ステータ（31）とロータ（32）とを備えている。ステータ（31）は、圧縮機構（20）の上方でケーシング（10）の胴部（11）に固定されている。ロータ（32）には駆動軸（33）が連結されている。そして、駆動軸（33）の下部が、リヤヘッド（23）の軸受部（23a）に支持されている一方、駆動軸（33）の中間部が、フロントヘッド（22）の軸受部（22a）に支持されている。
【００４７】
圧縮機構（20）は、シリンダ（19）に形成されたシリンダ室（25）と、シリンダ室（25）内に設けられた揺動ピストン（28）とを備えている。シリンダ（19）は、上下方向に延びる円筒状のシリンダ部（21）と、このシリンダ部（21）の上部開口を閉塞する上記フロントヘッド（22）と、このシリンダ部（21）の下部開口を閉塞する上記リヤヘッド（23）とで構成されている。そして、シリンダ部（21）の内周面と、フロントヘッド（22）の下端面と、リヤヘッド（23）の上端面との間に、円柱状のシリンダ室（25）が形成されている。また、シリンダ部（21）には、上記吸入管（14）が貫通しており、シリンダ室（25）と吸入管（14）とが連通している。さらに、上記フロントヘッド（22）には、吐出ポート（42）が設けられている。そして、シリンダ室（25）と圧縮機構（20）の外部の空間とが吐出ポート（42）を介して連通している。この吐出ポート（42）には、吐出弁（46）が設けられている。
【００４８】
シリンダ室（25）内に位置する駆動軸（33）には、偏心部（34）が設けられている。この偏心部（34）は、駆動軸（33）の軸心より所定の量偏心している。そして、この偏心部（34）の外周には、揺動ピストン（28）のピストン本体（28a）が挿嵌されている。また、ピストン（28a）には、図示しないブレードが一体形成されている。ピストン本体（28a）は、このブレードによって揺動されながらシリンダ室（25）の内周面を公転するように構成されている。
【００４９】
本発明の特徴である上述の消音装置（5）は、図２に示すように、ケーシング（10）の表面を締め付けることによりケーシング（10）の振動を抑制する消音部材（70）と、ケーシング（10）の振動を検知するための振動センサ（振動検知手段）（80）と、これらの制御部（90）とを備えている。
【００５０】
消音部材（70）は、図２のＡ−Ａ断面図である図３に示すように、円環状の変形部材（71）を備えている。この変形部材（71）は、ケーシング（10）の胴部（11）における外周表面に環装されている。なお、本実施形態において、変形部材（71）は、ケーシング（10）の上部寄りの２箇所に設けられている。また、この変形部材（71）は電圧印加（外部入力）によって変形して、ケーシング（10）に対する締め付け力を変化させる高分子アクチュエータで構成されている。
【００５１】
この高分子アクチュエータは、例えば図６に示すように、「ポリアニリン」などの高分子材料（91）と、電解液（92）とが接触して配置されている。そして、上記高分子材料（91）の外側に第１電極（93）が設けられ、上記電界液（92）の外側に第２電極（94）が設けられている。なお、上記第１，第２電極（93,94）の外側は樹脂膜などによって保護被覆が施されている。上記各電極（93,94）には、例えば切換スイッチ（95）を介して直流電源（96）が接続されている。そして、高分子アクチュエータは、切換スイッチ（95）の操作によって電極（93,94）の極性を適宜変更し、図６の矢印の方向に伸縮可能となっている。
【００５２】
具体的に、高分子アクチュエータは、第１電極（93）を「陽極」に、第２電極（94）を「陰極」に設定すると、上記電解液（92）内の「陰イオン」が上記高分子材料（91）に取り込まれ、この高分子材料（91）が膨潤して、結果的に伸長変形する。逆に、この高分子アクチュエータは、第１電極（93）を「陰極」に、第２電極（94）を「陽極」に設定すると、上記高分子材料（91）に取り込まれていた「陰イオン」が上記電解液（92）内へ放出され、上記高分子材料（91）に縮小変形する。このように、高分子アクチュエータは、印加電圧の極性を変更することによって、伸長又は縮小する特性を有している。本実施形態では、この高分子アクチュエータの伸縮変形を利用して、ケーシング（10）の締め付け力を変化させるようにしている。
【００５３】
振動センサ（80）は、ケーシング（10）の胴部（11）における表面の中間部に設けられている。この振動センサ（80）は、上記変形部材（71）と同様に環状のシート形状をしており、高分子アクチュエータで構成されている。この振動センサ（80）に用いられる高分子アクチュエータは、例えば圧縮機（1）の運転時にケーシング（10）が振動して変形すると、この変形に伴って上述した第１，第２電極（93,94）の間で電荷が発生し、これらの電極（93,94）に電流が生じる特性を有する。すなわち、上述した変形部材（71）としての高分子アクチュエータは、第１，第２電極（93,94）に電流が流れることで伸縮変形する特性を利用しているのに対し、振動センサ（80）としての高分子アクチュエータは、この特性と逆の特性を利用している。そして、振動センサ（80）は、ケーシング（10）の振動に伴って生じる電荷より、この振動を検知するようにしている。
【００５４】
制御部（90）は、上記変形部材（71）と上記振動センサ（80）との双方に、配線接続されており、圧縮機（1）とは別体に設けられている。そして、制御部（90）は、振動センサ（80）で検知された検知信号を受信して、この検知信号に基づいてケーシング（10）に対する変形部材（71）の締め付け力を変化させるように構成されている。具体的に、本実施形態における制御部（90）は、ケーシング（10）の振動が大きくなり、振動センサ（80）の検知信号が所定値以上になった場合に、変形部材（71）の締め付け力を大きくするように構成されている。
【００５５】
−運転動作−
まず、本実施形態における圧縮機（1）の運転動作について説明する。
【００５６】
図１に示す圧縮機（1）のロータ（32）が起動して、駆動軸（33）が回転すると、偏心部（34）を介してピストン本体（28a）がシリンダ室（25）の内周面に沿って公転する。そして、吸入管（14）よりシリンダ室（25）に吸入されたガス冷媒は、ピストン本体（28a）の公転に伴うシリンダ室（25）の容積変化によって圧縮される。圧縮されたガス冷媒は吐出ポート（42）の吐出弁（46）を持ち上げて、吐出ポート（42）より圧縮機構（20）の外部の空間へ排出され、吐出管（15）より冷媒回路へ供給される。
【００５７】
このような圧縮機（1）の運転時には、ロータ（32）、駆動軸（33）の回転や、ピストン本体（28a）の公転によって、この圧縮機（1）のケーシング（10）が振動するため、この振動に伴う騒音が生じてしまう。このため、本実施形態では、このケーシング（10）の振動を消音装置（5）によって抑制するようにしている。
【００５８】
以下に消音装置（5）によるケーシング（10）の振動抑制動作について説明する。
【００５９】
例えば圧縮機（1）の運転周波数が高くなり、ロータ（32）、駆動軸（33）の回転速度や、ピストン本体（28a）の公転速度が早くなると、ケーシング（10）の振動が大きくなる。この際、高分子アクチュエータからなる振動センサ（80）が、この振動によって変形すると、振動センサ（80）内で電荷が生じ、この電荷の発生に伴い生じる電流が制御部（90）に流れる。そして、この電流（検知信号）が所定値以上になると、制御部（90）は、変形部材（71）へ電圧を印可する。その結果、ケーシング（10）に対する変形部材（71）の締め付け力が大きくなる。
【００６０】
具体的に、変形部材（71）に電圧が印加されると、変形部材（71）は、ケーシング（10）の周方向に収縮する。そして、図３（Ｂ）に示すように、ケーシング（10）に作用する変形部材（71）の締め付け力（図３（Ｂ）の矢印）が大きくなる。その結果、ケーシング（10）の振動の振幅が低減され、ケーシング（10）の振動に伴って生じる騒音も低減される。
【００６１】
一方、例えば圧縮機（1）の運転周波数が低くなり、振動センサ（80）で検知される検知信号が所定値より小さくなると、制御部（90）は、変形部材（71）へ逆の極性の電圧を印可する。そして変形部材（71）は、ケーシング（10）の周方向に伸長する。そして、図３（Ａ）に示すように、ケーシング（10）に作用する変形部材（71）の締め付け力（図３（Ａ）の矢印）が小さくなる。
【００６２】
−実施形態の効果−
本実施形態に係る消音装置では、以下の効果が発揮される。
【００６３】
本実施形態に係る消音装置（5）では、ケーシング（10）の表面に消音部材（70）として変形部材（71）を設けている。そして、振動センサ（80）の振動に係る検知信号に基づいて制御部（90）から変形部材（71）へ電圧を印加することによって、ケーシング（10）に対する変形部材（71）の締め付け力を変化させるようにしている。
【００６４】
このため、圧縮機（1）の運転条件や環境条件、あるいはこの圧縮機（1）の製造誤差や型式変更などに関係なく、ケーシング（10）の振動を確実に抑制し、この圧縮機（1）の騒音を低減することができる。
【００６５】
また、本実施形態では、例えば特許文献２に開示されている圧縮機のように、圧縮機の運転周波数を変更してケーシング（10）の振動を抑制しているのではなく、この圧縮機（1）の運転とは独立した変形部材（71）の変形によってケーシング（10）の振動を抑制している。このため、この消音装置（5）が備えられる圧縮機（1）の運転に支障なく、ケーシング（10）の振動を抑制することができる。
【００６６】
また、本実施形態では、振動センサ（80）の検知信号が所定値以上になると、変形部材（71）の締め付け力を大きくするようにしている。このため、ケーシング（10）の振動が人間の聴覚に対して騒音となりやすい振動より小さくなるように、上記検知信号の所定値（上限値）を設定することで、騒音をある一定レベル以下に確実に抑えることができる。
【００６７】
さらに、本実施形態では、変形部材（71）を高分子アクチュエータで構成し、電圧印加によってケーシング（10）に対する変形部材（71）の締め付け力を変化させている。この高分子アクチュエータは、電圧を印加すると、その印加された電圧の大きさに相当して変形し、電圧の印加を止めると、その変形状態を継続する特性を有する。したがって、ケーシング（10）に対する変形部材（71）の締め付け力の調整を確実に行うことができるとともに、その締め付け力を確実に保持することができる。
【００６８】
さらに、高分子アクチュエータは、電圧印加に伴う高分子材料の内部におけるイオンの移動によって変形するものであるため、作動音がほとんどない状態で変形部材（71）を変形できる。したがって、この消音装置（5）の静粛性が向上する。
【００６９】
また、高分子アクチュエータは、金属などからなるアクチュエータと比較して、コンパクトかつ軽量であるため、変形部材（71）や振動センサ（80）の小型化、軽量化が可能となる。
【００７０】
<実施形態の変形例１>
この変形例１は、上述した実施形態の消音装置（5）において、制御部（90）における変形部材（71）の制御方法が異なるものである。それ以外の消音装置（5）の構造及び動作は、実施形態と同様となる。この変形例における制御部（90）は、振動センサ（80）の振動が小さくなるように、変形部材（71）の締め付け力を変化させるように構成されている。
【００７１】
具体的に、圧縮機（1）が起動してケーシング（10）の振動が大きくなると、振動センサ（80）がこの振動を検知する。そして、この検知信号が制御部（90）に受信されると、制御部（90）は変形部材（71）に電圧を印可し、ケーシング（10）に対する変形部材（71）の締め付け力が大きくなる。その結果、ケーシング（10）の振動が抑制される。ここで、変形例１の制御部（90）は、締め付け力を変化させる直前の振動と、締め付け力を変化させた直後の振動とを常時比較し、変形部材（71）の締め付け力が最小となるようなフィードバック制御している。このため、この変形例１では、ケーシング（10）の振動を常に小さい値に維持することができ、この圧縮機（1）の騒音を常時最小レベルに抑えることができる。
【００７２】
<実施形態の変形例２>
変形例２の消音装置は、図４に示すように、実施形態１の消音装置において、変形部材（71）と振動検知手段（80）とが同じ高分子アクチュエータ（70,80）で共用されているものである。なお、変形例２の高分子アクチュエータ（70,80）は、ケーシング（10）の表面に３箇所設けられている。この消音装置では、高分子アクチュエータ（70,80）は、ケーシング（10）の振動センサとして機能する期間と、変形部材として機能する期間とが交互に切り換えられる。
【００７３】
具体的に、圧縮機（1）が起動してケーシング（10）の振動が大きくなると、高分子アクチュエータ（70,80）は、振動センサとして機能する。そして、ケーシング（10）の振動によって高分子アクチュエータ（70,80）が変形すると、この変形に伴って高分子アクチュエータ（70,80）の内部で電荷が発生し、制御部（90）に電流が流れる。制御部（90）は、この電流（検知信号）に基づいて、今度は変形部材として機能する高分子アクチュエータ（70,80）に電圧を印可する。そして、この印可電圧によって、高分子アクチュエータ（70,80）が変形し、ケーシング（10）の締め付け力が変化する。このようにして、変形部材として機能する高分子アクチュエータ（70,80）の変形が終わると、この高分子アクチュエータ（70,80）は、再び振動センサとして機能し、ケーシング（10）の振動を検知する。
【００７４】
以上のように、この変形例２では、高分子アクチュエータに、振動センサの機能と、変形部材の機能との双方を持たせているため、この消音装置（5）をコンパクトに設計することができる。
【００７５】
また、この変形例２では、３箇所に設けた高分子アクチュエータをそれぞれ個別に制御することで、ケーシング（10）における局所的な振動を検知することができるとともに、それぞれの振動を個別に抑制することもできる。
【００７６】
《その他の実施形態》
本発明は、上記実施形態について、以下のような構成としてもよい。
【００７７】
本実施形態では、図３に示すように、消音部材（70）の変形部材（71）を環状に形成し、ケーシング（10）の外周面に環装させている。しかしながら、変形部材（71）は必ずしも環状でなくてもよく、例えば図５に示すように、消音部材（70）を、半円環状の２つの変形部材（71）と２つの中間部材（72）などから構成してもよい。この場合にも、変形部材（71）の締め付け力を変化させることで、ケーシング（10）の振動を抑制し、低騒音化を図ることができる。
【００７８】
また、本実施形態では、振動検知手段（80）として高分子アクチュエータからなる振動センサを用いている。しかしながら、これ以外の振動検知手段（80）として、例えば圧電素子からなる圧電式加速度センサ、ひずみゲージ式加速度センサなど、ケーシング（10）の振動を直接的に検知できるものであれば如何なるものであってもよい。
【００７９】
さらに、本実施形態では、消音装置（5）を圧縮機（1）に適用し、この圧縮機の低騒音化を図っている。しかしながら、この消音装置（5）は、例えば送風ファンやポンプなどのように、振動が生じるケーシングを備えたものであれば如何なるものであってもよい。
【産業上の利用可能性】
【００８０】
以上説明したように、本発明は、圧縮機などのケーシングを備えた装置の消音化を図る上で有用である。
【図面の簡単な説明】
【００８１】
【図１】実施形態に係る消音装置が備えられた圧縮機の縦断面図である。
【図２】実施形態に係る消音装置及び圧縮機の概略斜視図である。
【図３】実施形態に係る消音装置及び圧縮機のＡ−Ａ断面図である。
【図４】変形例に係る消音装置及び圧縮機の概略斜視図である。
【図５】その他の実施形態に係る消音装置及び圧縮機のＡ−Ａ断面図である。
【図６】高分子アクチュエータの内部構造を示す概念図である。
【符号の説明】
【００８２】
(1)   圧縮機
(5)   消音装置
(10)  ケーシング
(70)  消音部材
(71)  変形部材
(80)  振動検知手段
(90)  制御部
【図１】
2005180323.tif 000003
【図２】
2005180323.tif 000004
【図３】
2005180323.tif 000005
【図４】
2005180323.tif 000006
【図５】
2005180323.tif 000007
【図６】
2005180323.tif 000008